【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
音源としての現実物体が配されている現実空間に重畳する、仮想物体で構成された仮想空間の画像を生成する生成手段と、
前記仮想空間の画像を出力する出力手段と、
前記現実物体が発する音を、音データとして取得する取得手段と、
前記取得手段が取得した音データから音信号を生成し、該生成した音信号を音出力装置に出力する音出力手段と
を有する画像処理装置であって、
前記現実物体の位置情報を取得する現実物体位置情報取得手段と、
前記仮想物体の位置情報を取得する仮想物体位置情報取得手段と、
ユーザの視点の位置情報を取得する視点位置情報取得手段と、
前記現実物体の位置情報、前記仮想物体の位置情報、前記視点の位置情報、を用いて、前記現実物体、前記仮想物体、前記視点のそれぞれの位置関係を求め、該求めた位置関係が予め定められた条件を満たすか否かを判断する判断手段と、
前記位置関係が前記予め定められた条件を満たすと前記判断手段が判断した場合には、前記出力手段に、前記取得手段が取得した音データが示す音が調整されるように該音データを処理させ、該処理後の音データに基づいた音信号を生成させ、該生成した音信号を出力させる制御手段と
を備えることを特徴とする画像処理装置。
【請求項２】
前記判断手段は、
前記現実物体の位置情報が示す位置と、前記視点の位置情報が示す位置と、を結ぶ線分を求める算出手段と、
前記線分を軸とする領域内に前記仮想物体の一部若しくは全部が含まれているか否かを判断する領域判断手段と
を備えることを特徴とする請求項１に記載の画像処理装置。
【請求項３】
前記線分を軸とする領域内に前記仮想物体の一部若しくは全部が含まれていると前記領域判断手段が判断した場合には、
前記制御手段は前記出力手段に、前記取得手段が取得した音データが示す音のボリュームが下がるように該音データを処理させ、該処理後の音データに基づいた音信号を生成させ、該生成した音信号を出力させる
ことを特徴とする請求項２に記載の画像処理装置。
【請求項４】
前記制御手段は更に前記仮想物体の材質を示す情報として予め設定された材質情報を参照し、前記出力手段に、前記取得手段が取得した音データが示す音が該参照した材質情報に応じて調整されるように該音データを処理させ、該処理後の音データに基づいた音信号を生成させ、該生成した音信号を出力させることを特徴とする請求項１に記載の画像処理装置。
【請求項５】
前記判断手段は、
前記現実物体の位置情報が示す位置と、前記視点の位置情報が示す位置と、を結ぶ線分を求める線分算出手段と、
前記線分と前記仮想物体とに交点が存在するか否かを判断する交点判断手段と
を備えることを特徴とする請求項１に記載の画像処理装置。
【請求項６】
前記線分と前記仮想物体とに交点が存在すると前記交点判断手段が判断した場合には、
前記制御手段は前記出力手段に、前記取得手段が取得した音データが示す音のボリュームが下がるように該音データを処理させ、該処理後の音データに基づいた音信号を生成させ、該生成した音信号を出力させる
ことを特徴とする請求項５に記載の画像処理装置。
【請求項７】
前記制御手段は更に、前記交点の前記仮想物体上における位置に応じて、前記ボリュームを下げる量を変更することを特徴とする請求項６に記載の画像処理装置。
【請求項８】
前記取得手段は、前記現実物体上に配されたマイクから前記現実物体が発する音を、音データとして取得することを特徴とする請求項１に記載の画像処理装置。
【請求項９】
前記音出力装置はヘッドフォンであり、当該ヘッドフォンは、当該ヘッドフォンの装着者に対して現実空間中の音が聞こえないようにする機能を有していることを特徴とする請求項１に記載の画像処理装置。
【請求項１０】
音源としての現実物体が配されている現実空間に重畳する、仮想物体で構成された仮想空間の画像を生成する生成手段と、
前記仮想空間の画像を出力する出力手段と、
前記現実物体が発する音を、音データとして取得する取得手段と、
前記取得手段が取得した音データから音信号を生成し、該生成した音信号を音出力装置に出力する音出力手段と
を有する画像処理装置が行う画像処理方法であって、
前記画像処理装置が有する現実物体位置情報取得手段が、前記現実物体の位置情報を取得する現実物体位置情報取得工程と、
前記画像処理装置が有する仮想物体位置情報取得手段が、前記仮想物体の位置情報を取得する仮想物体位置情報取得工程と、
前記画像処理装置が有する視点位置情報取得手段が、ユーザの視点の位置情報を取得する視点位置情報取得工程と、
前記画像処理装置が有する判断手段が、前記現実物体の位置情報、前記仮想物体の位置情報、前記視点の位置情報、を用いて、前記現実物体、前記仮想物体、前記視点のそれぞれの位置関係を求め、該求めた位置関係が予め定められた条件を満たすか否かを判断する判断工程と、
前記画像処理装置が有する制御手段が、前記位置関係が前記予め定められた条件を満たすと前記判断工程で判断した場合には、前記出力手段に、前記取得手段が取得した音データが示す音が調整されるように該音データを処理させ、該処理後の音データに基づいた音信号を生成させ、該生成した音信号を出力させる制御工程と
を備えることを特徴とする画像処理方法。
【請求項１１】
コンピュータを請求項１乃至９の何れか１項に記載の画像処理装置が有する各手段として機能させるためのコンピュータプログラム。
【手続補正２】
【補正対象書類名】明細書
【補正対象項目名】００１３
【補正方法】変更
【補正の内容】
【００１３】
即ち、音源としての現実物体が配されている現実空間に重畳する、仮想物体で構成された仮想空間の画像を生成する生成手段と、
前記仮想空間の画像を出力する出力手段と、
前記現実物体が発する音を、音データとして取得する取得手段と、
前記取得手段が取得した音データから音信号を生成し、該生成した音信号を音出力装置に出力する音出力手段と
を有する画像処理装置であって、
前記現実物体の位置情報を取得する現実物体位置情報取得手段と、
前記仮想物体の位置情報を取得する仮想物体位置情報取得手段と、
ユーザの視点の位置情報を取得する視点位置情報取得手段と、
前記現実物体の位置情報、前記仮想物体の位置情報、前記視点の位置情報、を用いて、前記現実物体、前記仮想物体、前記視点のそれぞれの位置関係を求め、該求めた位置関係が予め定められた条件を満たすか否かを判断する判断手段と、
前記位置関係が前記予め定められた条件を満たすと前記判断手段が判断した場合には、前記出力手段に、前記取得手段が取得した音データが示す音が調整されるように該音データを処理させ、該処理後の音データに基づいた音信号を生成させ、該生成した音信号を出力させる制御手段と
を備えることを特徴とする。
【手続補正３】
【補正対象書類名】明細書
【補正対象項目名】００１５
【補正方法】変更
【補正の内容】
【００１５】
即ち、音源としての現実物体が配されている現実空間に重畳する、仮想物体で構成された仮想空間の画像を生成する生成手段と、
前記仮想空間の画像を出力する出力手段と、
前記現実物体が発する音を、音データとして取得する取得手段と、
前記取得手段が取得した音データから音信号を生成し、該生成した音信号を音出力装置に出力する音出力手段と
を有する画像処理装置が行う画像処理方法であって、
前記画像処理装置が有する現実物体位置情報取得手段が、前記現実物体の位置情報を取得する現実物体位置情報取得工程と、
前記画像処理装置が有する仮想物体位置情報取得手段が、前記仮想物体の位置情報を取得する仮想物体位置情報取得工程と、
前記画像処理装置が有する視点位置情報取得手段が、ユーザの視点の位置情報を取得する視点位置情報取得工程と、
前記画像処理装置が有する判断手段が、前記現実物体の位置情報、前記仮想物体の位置情報、前記視点の位置情報、を用いて、前記現実物体、前記仮想物体、前記視点のそれぞれの位置関係を求め、該求めた位置関係が予め定められた条件を満たすか否かを判断する判断工程と、
前記画像処理装置が有する制御手段が、前記位置関係が前記予め定められた条件を満たすと前記判断工程で判断した場合には、前記出力手段に、前記取得手段が取得した音データが示す音が調整されるように該音データを処理させ、該処理後の音データに基づいた音信号を生成させ、該生成した音信号を出力させる制御工程と
を備えることを特徴とする。